(57)【要約】      （修正有）【課題】鼻用パッドを介して鼻にかかる負担を軽減し得る負担軽減部材を提供する。【解決手段】医療用ルーペ付き眼鏡の鼻への負担軽減部材１は、眼鏡フレーム２のブリッジに取り付け、前記ブリッジあるいはレンズリム３より上方に位置するとともに左右両側に伸ばした一対のアーム５，５を有する額用パッド６と、前記各アーム５，５端にその両端を連繋し、使用者の後頭部に締め付けるようになした引張体ストラップ８と、前記引張ストラップ８の途中部位を各テンプル９，９の途中部位に移動可能に支持するための連繋部１０，１０とから構成する。額用パッド６の各アーム５，５が各テンプル９，９の途中部位の各連繋部１０，１０に向かって斜め下方に引かれることにより、前記各テンプル９，９が前記連繋部１０，１０を支点としてそれぞれ起き上がる力を受けるので、鼻用パッド２５を介しての鼻への負担が軽減される。【選択図】図１
0003143907.tif 000002
【実用新案登録請求の範囲】
【請求項１】
医療用ルーペを取り付けた眼鏡において、眼鏡フレームのブリッジあるいはレンズリムの所定部位に取り付け、前記ブリッジあるいはレンズリムより上方に位置して使用者の額に当接する額用パッドと、この額用パッドの左右端部に連繋し、使用者の頭部に締め付けるようになした引張体と、前記引張体の途中部位を両テンプルの各途中部位に変位可能に支持するための一対の連繋部とから構成した医療用ルーペ付き眼鏡の鼻への負担軽減部材。
【請求項２】
医療用ルーペを取り付けた眼鏡において、眼鏡フレームのブリッジあるいはレンズリムの所定部位に取り付け、前記ブリッジあるいはレンズリムより上方に位置して使用者の額に当接する額用パッドと、この額用パッドの左右の各端部に各一端をそれぞれ連繋し、各他端を両テンプルの各途中部位に固定し、前記額用パッドの各左右端部と前記各テンプルの前記各固定部を相対的に接近するように付勢する一対の付勢体と、前記各テンプルの前記各固定部より後側部分に連繋するとともに、使用者の頭部に締め付けるようになした引張体とから構成した医療用ルーペ付き眼鏡の鼻への負担軽減部材。
【考案の詳細な説明】
【技術分野】
【０００１】
本考案は、医療用ルーペを取り付けた眼鏡に係り、特に眼鏡に医療用ルーペが加わることによって増大した重量による鼻用パッドを介して鼻にかかる負担を軽減するための負担軽減部材に関する。
【背景技術】
【０００２】
従来の医療用ルーペ付き眼鏡の鼻への負担軽減部材としては、それぞれレンズを保持する左右一対のレンズリムを連繋するブリッジに、上方に突出しそれぞれ使用者の額に当接する一対の額用パッドを設けるとともに、両方のテンプル後端部にストラップを連繋したメガネフレーム（特許文献１参照。）が提案されている。この眼鏡フレームは、前記ストラップを使用者の頭部に巻き、かつ、後頭部側に引っ張って固定することにより前記額用パッドを額に押し付け、鼻用パッドを介して鼻にかかる負担を軽減するというものである。
【特許文献１】特開２００５−１２１９８４号公報
【考案の開示】
【考案が解決しようとする課題】
【０００３】
上記従来のものは、両方の額用パッドで使用者の額を強く圧迫するため、長時間使用していると使用者に苦痛を与えるうえ、鼻への負担もあまり軽減できないという問題がある。
【０００４】
本考案は、前記問題を解消することを課題とし、該課題を解決した医療用ルーペ付き眼鏡の鼻への負担軽減部材を提供することを目的とする。
【課題を解決するための手段】
【０００５】
上記目的を達成するために、請求項１記載の医療用ルーペ付き眼鏡の鼻への負担軽減部材は、眼鏡フレームのブリッジあるいはレンズリムの所定部位に取り付け、前記ブリッジあるいはレンズリムより上方に位置して使用者の額に当接する額用パッドと、この額用パッドの左右端部に連繋し、使用者の頭部に締め付けるようになした引張体と、前記引張体の途中部位を両テンプルの各途中部位に変位可能に支持するための一対の連繋部とから構成したものである。
【０００６】
また、請求項２記載の医療用ルーペ付き眼鏡の鼻への負担軽減部材は、眼鏡フレームのブリッジあるいはレンズリムの所定部位に取り付け、前記ブリッジあるいはレンズリムより上方に位置して使用者の額に当接する額用パッドと、この額用パッドの左右の各端部に各一端をそれぞれ連繋し、各他端を両テンプルの各途中部位に固定し、前記額用パッドの各左右端部と前記各テンプルの前記各固定部を相対的に接近するように付勢する一対の付勢体と、前記各テンプルの前記各固定部より後側部分に連繋するとともに、使用者の頭部に締め付けるようになした引張体とから構成したものである。
【考案の効果】
【０００７】
以上のように構成した請求項１記載の本考案によれば、引張体を後頭部側に引くことで額用パッドの左右端部が両テンプル途中部位の各連繋部に向かって斜め下方に引かれ、前記各連繋部とレンズリム間の各テンプルが前記各連繋部を支点としてそれぞれ起き上がる力を受けるので、鼻用パッドを介しての鼻への負担が軽減されるという効果を奏する。
【０００８】
また、請求項２記載の本考案によれば、各付勢体によって額用パッドの左右端部が各テンプル途中部位の各固定部に向かって斜め下方に引かれ、前記各固定部と各レンズリム間の各テンプルが前記各固定部位を支点としてそれぞれ起き上がる力を受けるので、鼻用パッドを介しての鼻への負担が軽減されるという効果を奏する。
【考案を実施するための最良の形態】
【０００９】
次に、本考案の好適な第１の実施形態を添付図面の図１〜図５に基づいて詳細に説明する。ここにおいて、図１は負担軽減部材を取り付けたルーペ付き眼鏡の側面図、図２は同じく平面図、図３は同じく正面図、図４は負担軽減部材とルーペ取付部材部のブリッジへの取り付け状態を示す拡大部分縦断図、図５は図２の拡大Ａ−Ａ線縦断面図である。
【００１０】
図１〜図５に示すように、第１の実施形態における負担軽減部材１は、眼鏡フレーム２のレンズリム３，３間に位置するブリッジ４内面側に取り付け、前記ブリッジ４及びレンズリム３，３より上方に位置するとともに左右両側に伸ばした一対のアーム５，５を有する額用パッド６と、前記各アーム５，５端部にその両端を連繋し、使用者の頭部（図示せず）に巻き、締め付け具７により調節可能に締め付けるための引張体たるループ状の引張ストラップ８と、前記引張ストラップ８の途中部位を眼鏡フレーム２の各テンプル９，９の途中部位に変位可能に固定するための軟質性樹脂リングからなる一対の連繋部１０，１０とから構成する。
【００１１】
図１〜図４に示すように、額用パッド６は、その下部の支持部１１を前記ブリッジ４に固定ネジ１２にて固定されるものであり、また、前記両アーム５，５の各端部には、回転変位可能に連繋片１３，１３が枢着され、これら連繋片１３，１３に、前記引張ストラップ８両端を連繋してある。さらに、前記各アーム５，５の裏面には、使用者の額に対応する位置に額保護用のクッション材１４，１４を設ける。
【００１２】
図１〜図４に示すように、前記ブリッジ４外面に取り付けられるルーペ取付部材１５は公知のものであって、前記ブリッジ４外面に固定する支持部１６と、この支持部１６に枢軸１７を介して連結する第１変位片１８と、この第１変位片１８に枢軸１９を介して連結する第２変位片２０と、この第２変位片２０に枢軸２１を介して連結する第３変位片２２と、この第３変位片２２に設けた一対の連結軸２３，２３に着脱可能に取り付けたルーペ保持体２４の両側に設けたルーペ２４ａ，２４ａ（図３参照。）とからなる。前記ルーペ取付部材１５は、第１、第２、第３変位片１８，２０，２２を枢軸１７，１９，２１を中心に縦方向に回動変位することによって、眼鏡レンズ表面に対するルーペ２４ａ，２４ａの角度、距離及び縦方向位置を随意変更し得るものである。なお、前記支持部１６は、前記額用パッド６の支持部１１と一体的に前記ブリッジ４に対して前記固定ネジ１２によって固定される。
【００１３】
以上のように構成した負担軽減部材１は、引張ストラップ８を使用者の頭部側に巻き、締め付け具７を調節して引き締めると、前記額用パッド６のアーム５，５がテンプル９，９の途中部位の連繋部１０，１０に向かって斜め下方に引かれ、前記連繋部１０，１０と両レンズリム３，３端部間の各テンプル９，９が前記連繋部１０，１０を支点としてそれぞれ起き上がる力を受けて、鼻用パッド２５，２５を介しての鼻への負担が軽減されるのである。
【００１４】
次に、本考案の第２の実施形態を添付図面の図６（側面図）に基づいて説明する。なお、この第２の実施形態の負担軽減部材５１の額用パッドの構成は、前述の第１実施形態の負担軽減部材１の額用パッド６と同一であるので、その詳細な説明は省略し、前記額用パッド６の各部材の添付図面（図１〜図５）に付した符号と同一の符号を図６に付すに止める。また、眼鏡フレームとルーペ取付部材も前述の第１実施形態の負担軽減部材１と同様の構成を有するものであるので、前記額用パッドの場合と同様に、眼鏡フレームとルーペ部材の各部材の添付図面（図１〜図５）に付した符号と同一の符号を図６に付すに止める。
【００１５】
図６に示すように、第２の実施形態の負担軽減部材５１は、眼鏡フレーム２のブリッジ４に取り付け、前記ブリッジ４より上方に位置するとともに左右両側に伸ばした一対のアーム５を有する額用パッド６と、前記各アーム５端部に各一端を連繋し、各他端を眼鏡フレーム２のテンプル９の各途中部位の固定部５２に固定し、前記アーム５，５の前記各左右端部と各テンプル９，９の前記固定部５２を相対的に接近するように付勢する一対の付勢体たるゴムバンド５３と、前記各テンプル９の、前記各ゴムバンド５３の前記固定部５２より後側部分に設けた接続部５５に両端を連繋するとともに、使用者の頭部に巻き、締め付け具７により調節可能に締め付けるための引張体たるループ状の引張ストラップ５４とから構成する。
【００１６】
以上のように構成した負担軽減部材５１は、眼鏡をかけた状態において引張ストラップ５４を使用者の頭部に巻き、締め付け具７を調節して引き締めると、前記額用パッド６の各アーム５が各ゴムバンド５３の引っ張り付勢力によって各テンプル９の途中部位の各固定部５２に向かって斜め下方に引かれ、前記各固定部５２と両レンズリム３端部間の各テンプル９が前記各固定部５２を支点としてそれぞれ起き上がる力を受けて、鼻用パッド２５を介しての鼻への負担が軽減される。
【図面の簡単な説明】
【００１７】
【図１】第１実施形態における負担軽減部材を取り付けたルーペ付き眼鏡の側面図。
【図２】第１実施形態における同じく平面図。
【図３】第１実施形態における同じく正面図。
【図４】第１実施形態における負担軽減部材とルーペ固定部のブリッジへの取り付け状態を示す拡大部分縦断図。
【図５】第１実施形態における図２の拡大Ａ−Ａ線縦断面図。
【図６】第２実施形態における負担軽減部材を取り付けたルーペ付き眼鏡の側面図。
【符号の説明】
【００１８】
１    負担軽減部材
２    眼鏡フレーム
３    レンズリム
４    ブリッジ
５    アーム
６    額用パッド
７    締め付け具
８    引張ストラップ
９    テンプル
１０    連繋部
１１    支持部
１２    固定ネジ
１３    連繋片
１４    クッション材
１５    ルーペ取付部材
１６    支持部
１７    保持部
１７，１９，２１    枢軸
１８    第１変位片
２０    第２変位片
２２    第３変位片
２３    連結軸
２４    保持体
２４ａ    ルーペ
２５    鼻用パッド
５１    負担軽減部材
５２    固定部
５３    ゴムバンド
５４    引張ストラップ
５５    接続部
【図１】
0003143907.tif 000003
【図２】
0003143907.tif 000004
【図３】
0003143907.tif 000005
【図４】
0003143907.tif 000006
【図５】
0003143907.tif 000007
【図６】
0003143907.tif 000008